(57)【特許請求の範囲】
【請求項１】
周波数領域において連続して配置された複数のセグメントのうち、一部のセグメントを使用した信号を受信する受信部と、
前記受信部が受信した信号から、周波数領域において連続して配置されたセグメント数が示された第１制御情報を抽出する抽出部と、
前記受信部が受信した信号の中に、前記抽出部が抽出した第１制御情報によって示されたセグメント数よりも小さなセグメント数のセグメントだけが有効であることが示された第２制御情報が含まれている場合、前記受信部が受信した信号によって使用された一部のセグメントとは別のセグメントを調査する調査部とを備え、
前記調査部は、前記受信部が受信した信号の中に第２制御情報が含まれない場合、前記受信部が受信した信号によって使用された一部のセグメントとは別のセグメントに対する調査をスキップすることを特徴とする受信装置。
【請求項２】
前記調査部は、前記受信部が受信した信号によって使用されたセグメント数を単位として、調査を実行することを特徴とする請求項１に記載の受信装置。
【請求項３】
周波数領域において連続して配置された複数のセグメントのうち、一部のセグメントを使用した信号を受信するステップと、
受信した信号から、周波数領域において連続して配置されたセグメント数が示された第１制御情報を抽出するステップと、
受信した信号の中に、抽出した第１制御情報によって示されたセグメント数よりも小さなセグメント数のセグメントだけが有効であることが示された第２制御情報が含まれている場合、受信した信号によって使用された一部のセグメントとは別のセグメントを調査するステップとを含み、
前記調査するステップは、受信した信号の中に第２制御情報が含まれない場合、受信した信号によって使用された一部のセグメントとは別のセグメントに対する調査をスキップすることを特徴とする受信方法。
【発明の詳細な説明】
【技術分野】
【０００１】
本発明は、放送技術に関し、特にＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）信号を使用する受信装置、受信方法に関する。
【背景技術】
【０００２】
地上デジタル放送では、ひとつのチャンネル内に複数のセグメントが周波数分割多重されている。このような地上デジタル放送において階層伝送を行う場合、階層情報の指定に沿った並列処理がなされた後、処理結果が合成される。移動受信における電界変動やマルチパス妨害に対して、誤り訂正符号化の能力を有効に発揮させるために、合成結果には時間インタリーブおよび周波数インタリーブがなされる。複数の伝送パラメータが混在する階層伝送に対して受信機の復調・復号を補助するため、制御情報としてＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号が、各セグメント中の特定のキャリアを用いて伝送される。ＴＭＣＣ信号を伝送するためのキャリアは、マルチパスによる伝送路特性の周期的なディップの影響を軽減するために、周波数方向にランダムに配置されている。また、ワンセグメント放送は、複数のセグメントのうち、中央のひとつのセグメントだけを使用する（例えば、非特許文献１）。
【先行技術文献】
【非特許文献】
【０００３】
【非特許文献１】地上デジタルテレビジョン放送の伝送方式ＡＲＩＢ  ＳＴＤ−Ｂ３１  ２．０版、社団法人電波産業会、平成23年3月28日、ｐ．１０
【発明の概要】
【発明が解決しようとする課題】
【０００４】
エリアワンセグメント放送とは、地上デジタル放送のひとつであるワンセグメント放送を利用し、放送事業者によって使用される送信電力よりも低い送信電力によって、狭いエリアに限定的にコンテンツデータを送信するサービスである。ワンセグメント放送に対応した受信装置として携帯電話端末が普及しているので、それを使用することによって、エリアワンセグメント放送の普及も期待される。現在のワンセグメント放送に対応した携帯電話端末は、地上デジタル放送（所謂フルセグ放送または１２セグ放送）とともにワンセグメント放送が放送されていることを前提として設計されている場合が多い。また、現時点においては地上デジタル放送とは別にワンセグメント放送のみを運用する規格がない。以上のような状況から、現在のワンセグメント放送に対応した携帯電話端末は、受信した信号から抽出したＴＭＣＣ信号にすべてのセグメントに関する情報が含まれていること確認した場合に、携帯電話端末は受信したワンセグメント放送の信号に対する処理を開始するものが多い。
【０００５】
一方、ワンセグメント放送で使用するセグメント以外のセグメントでの信号も受信可能な受信装置も存在する。そのため、ＴＭＣＣ信号に含まれた情報の内容と、実際に送信されている信号とは、一致している必要がある。これらを考慮して、携帯電話端末にワンセグメント放送だけを伝送する場合、他のセグメントでの送信は本来不要であるにもかかわらず、ＴＭＣＣ信号との整合性を図るために、他のセグメントにおいてもダミーとしてヌルデータが送信される。ヌルデータとは、空値のことである。従って、他のセメントにおいてはデータのない変調波のみが送信される。
周波数資源を有効に活用するためには、ヌルデータは送信されない方が望ましい。
【０００６】
本発明はこうした状況に鑑みてなされたものであり、その目的は、周波数利用効率の悪化を抑制しながら、さまざまなタイプの受信装置に受信させる技術を提供することである。
【課題を解決するための手段】
【０００９】
上記課題を解決するために、本発明のある態様の受信装置は、周波数領域において連続して配置された複数のセグメントのうち、一部のセグメントを使用した信号を受信する受信部と、受信部が受信した信号から、周波数領域において連続して配置されたセグメント数が示された第１制御情報を抽出する抽出部と、受信部が受信した信号の中に、抽出部が抽出した第１制御情報によって示されたセグメント数よりも小さなセグメント数のセグメントだけが有効であることが示された第２制御情報が含まれている場合、受信部が受信した信号によって使用された一部のセグメントとは別のセグメントを調査する調査部とを備える。調査部は、受信部が受信した信号の中に第２制御情報が含まれない場合、受信部が受信した信号によって使用された一部のセグメントとは別のセグメントに対する調査をスキップする。
【００１０】
この態様によると、第２制御情報に応じて、別のセグメントに対する調査の実行を決定するので、処理を効率的に実行できる。
【００１１】
調査部は、受信部が受信した信号によって使用されたセグメント数を単位として、調査を実行してもよい。この場合、受信部が受信した信号によって使用されたセグメント数を調査の単位とするので、受信すべき信号を調査できる。
【００１３】
本発明の別の態様は、受信方法である。この方法は、周波数領域において連続して配置された複数のセグメントのうち、一部のセグメントを使用した信号を受信するステップと、受信した信号から、周波数領域において連続して配置されたセグメント数が示された第１制御情報を抽出するステップと、受信した信号の中に、抽出した第１制御情報によって示されたセグメント数よりも小さなセグメント数のセグメントだけが有効であることが示された第２制御情報が含まれている場合、受信した信号によって使用された一部のセグメントとは別のセグメントを調査するステップとを含む。調査するステップは、受信した信号の中に第２制御情報が含まれない場合、受信した信号によって使用された一部のセグメントとは別のセグメントに対する調査をスキップする。
【００１４】
なお、以上の構成要素の任意の組合せ、本発明の表現を方法、装置、システム、記録媒体、コンピュータプログラムなどの間で変換したものもまた、本発明の態様として有効である。
【発明の効果】
【００１５】
本発明によれば、周波数利用効率の悪化を抑制しながら、さまざまなタイプの受信装置に受信させることができる。
【図面の簡単な説明】
【００１６】
【図１】図１（ａ）−（ｅ）は、本発明の実施例に係るエリアワンセグメント放送システムにおけるセグメントの配置を示す図である。
【図２】図１のエリアワンセグメント放送システムにおける送信装置の構成を示す図である。
【図３】図２のＴＭＣＣ信号生成部において生成されるＴＭＣＣキャリアのビット割当てを示す図である。
【図４】図３のＴＭＣＣ情報の詳細を示す図である。
【図５】図１のエリアワンセグメント放送システムにおける受信装置の構成を示す図である。
【図６】図１（ｅ）のセグメント５およびセグメント６において送信されるＴＭＣＣ情報のビット割当てを示す図である。
【図７】図５の受信装置による受信処理の手順を示すフローチャートである。
【発明を実施するための形態】
【００１７】
本発明を具体的に説明する前に、まず概要を述べる。本発明の実施例は、エリアワンセグメント放送におけるコンテンツ配信サービスを実現するために、コンテンツデータが含まれたＯＦＤＭ信号を送信する送信装置と、ＯＦＤＭ信号を受信する受信装置に関する。ＯＦＤＭ信号には、制御情報としてＴＭＣＣ情報が含まれている。これまでワンセグメント放送のみを実行する場合であっても、送信装置は、すべてのセグメントの使用に関する情報をＴＭＣＣ情報に含めるとともに、データを配置すべきワンセグメント以外の残りのセグメントにヌルデータを配置させている。携帯電話端末では、すべてのセグメントの使用に関する情報がＴＭＣＣ情報に含まれていることを確認してから、ワンセグメントのみに対して受信処理を実行している。すべてのセグメントの使用に関する情報とは、１３セグメントが使用されていることを受信装置に認識させるための情報である。このような状況下において、周波数利用効率を向上させ、かつ他のタイプの受信装置も正常に動作するように、送信装置と受信装置は、次の処理を実行する。
【００１８】
本実施例に係る送信装置は、データを配置させたセグメント、例えば、中央のワンセグメントのみを使用してエリアワンセグメント放送を実行する。そのため、ヌルデータは、配置させない。一方、携帯電話端末にも受信させるために、送信装置は、すべてのセグメントの使用に関する情報をＴＭＣＣ情報に含める。これより、ＴＭＣＣ情報の内容と、実際に使用されているセグメントに差異が生じ、ＴＭＣＣ情報をもとに受信処理を実行する他のタイプの受信装置に問題が生じる。他のタイプの受信装置とは、携帯電話端末とは異なり、中央のワンセグメント以外のセグメントの信号を受信可能な受信装置である。これに対応するために、送信装置は、データが配置されたセグメントのみが有効であることを示した情報（以下、「ワンセグメント使用情報」という）を含める。その結果、他のタイプの受信装置も、中央のワンセグメント以外のセグメントにデータが配置されていないことを認識する。一方、携帯電話端末は、元々中央のワンセグメントのデータしか受信しないので、ワンセグメント使用情報を無視する。
【００１９】
図１（ａ）−（ｅ）は、本発明の実施例に係るエリアワンセグメント放送システムにおけるセグメントの配置を示す。図１（ａ）は、本実施例において使用されるひとつのチャンネルの構成を示す。チャンネルは、５．７ＭＨｚ帯域幅を有する。図示のごとく、チャンネルの中に１３個のセグメントが配置されており、各セグメントには、セグメント０からセグメント１２のように、セグメントを識別するためのセグメント番号が付与される。各セグメントは、約４２９ｋＨｚの帯域を有し、これは地上デジタル放送と同一である。
【００２０】
図１（ｂ）は、１３個のセグメントを使用して信号を送信する場合のチャンネル構成であり、これまでに既に使用されているチャンネル構成である。ここでは、中央のセグメント０にてワンセグメント放送が送信され、残りのセグメント１からセグメント１２にてデジタル放送が送信される。なお、セグメント１からセグメント１２において複数の番組が送信されてもよいが、それには公知の技術が使用されればよいので、ここでは説明を省略する。
【００２１】
図１（ｃ）は、ワンセグメント放送だけを送信する場合のチャンネル構成であり、これまでに既に使用されているチャンネル構成である。ここでは、中央のセグメント０にてワンセグメント放送が送信され、残りのセグメント１からセグメント１２にてヌルデータが送信されている。
【００２２】
図１（ｄ）は、本実施例におけるワンセグメント放送だけを送信する場合のチャンネル構成である。図示のごとく、中央のセグメント０にてワンセグメント放送が送信され、残りのセグメントではデータが送信されない。図１（ｄ）において占有される帯域幅は、図１（ｃ）において占有される帯域幅よりも狭いが、図１（ｄ）において実質的に送信可能なデータ量は、図１（ｃ）において実質的に送信可能なデータ量と同等である。図１（ｅ）は、図１（ｄ）に示されたチャンネル構成を拡張させたチャンネル構成である。図示のごとく、複数のセグメントにおいて、ワンセグメント放送が送信される。そのため、ひとつのチャンネル内において、複数のワンセグメント放送が送信される。
【００２３】
このような状況下において、さまざまな種類の受信装置が想定される。例えば、携帯電話端末は、前述のＴＭＣＣ情報の点において、図１（ｂ）と（ｃ）における中央のワンセグメントの信号を受信可能である。一方、携帯電話端末が図１（ｄ）と（ｅ）における中央のワンセグメントの信号を受信できるように、ＴＭＣＣ情報が構成されるべきである。その際、セグメント１等ではデータが送信されていないが、すべてのセグメントに対する情報がＴＭＣＣ情報に含まれるようになっていることが好ましい。
【００２４】
また、１３セグメントの信号を受信可能な受信装置（以下、「フルセグメント受信装置」という）は、図１（ｂ）と（ｃ）のような信号を受信可能である。一方、図１（ｄ）と（ｅ）において、使用されていないセグメントに対する情報がＴＭＣＣ情報に含まれていれば、フルセグメント受信装置は、セグメント１等においても受信処理を実行してしまうので、受信が失敗する。そのため、フルセグメント受信装置に対しても、図１（ｄ）と（ｅ）のようなチャンネルを受信させることが好ましい。
【００２５】
さらに、ワンセグメント放送のみを受信可能であるが、セグメント０以外のセグメントへ移動しながら信号を受信可能な受信装置（以下、「マルチセグメント受信装置」という）も、図１（ｂ）と（ｃ）のような信号を受信可能である。マルチセグメント受信装置は、ＴＭＣＣ情報をもとに、セグメント０以外にワンセグメント放送が含まれていないことを認識する。一方、図１（ｄ）や（ｅ）のセグメント０の信号を受信した場合、マルチセグメント受信装置では、セグメント０以外のセグメントにおいて信号を受信可能であるかを調査する必要がある。つまり、マルチセグメント受信装置には、図１（ｂ）と（ｃ）の場合と、図１（ｃ）と（ｄ）の場合とを区別できることが望まれる。
【００２６】
図２は、エリアワンセグメント放送システムにおける送信装置１００の構成を示す。送信装置１００は、生成部１０、パイロット信号生成部１２、第１取得部１４、第２取得部１６、ＴＭＣＣ信号生成部１８、ＡＣ信号生成部２０、ＯＦＤＭフレーム構成部２２、ＩＦＦＴ（Ｉｎｖｅｒｓｅ  Ｆａｓｔ  Ｆｏｕｒｉｅｒ  Ｔｒａｎｓｆｏｒｍ）部２４、ガードインターバル付加部２６、ＲＦ部２８、アンテナ３０を含む。生成部１０は、符号化部３４、キャリア変調部３６、時間インタリーブ部３８、周波数インタリーブ部４０を含む。送信装置１００は、図１（ｄ）に示されたチャンネル構成の信号を送信するが、図１（ｅ）に示されたチャンネル構成のうちのセグメント０の信号を送信する場合にも対応する。
【００２７】
符号化部３４は、入力したデータに対して畳込み符号化を実行する。例えば、拘束長ｋ＝７、符号化率１／２をマザーコードとするパンクチャード畳込み符号化がなされ、マザーコードの生成多項式が、Ｇ１＝１７１ＯＣＴ、Ｇ２＝１３３ＯＣＴである。キャリア変調部３６は、符号化部３４からのデータに対して、ビットインタリーブを実行するとともに、変調マッピングを実行する。なお、階層伝送がなされる場合、これらの処理は各階層についてなされるが、ここでは、ひとつのセグメントに配置すべきデータのみを対象にするので、階層伝送の説明を省略する。
【００２８】
キャリア変調部３６は、変調マッピングとして、π／４シフトＤＱＰＳＫのマッピング、ＱＰＳＫのマッピング、１６ＱＡＭのマッピング、６４ＱＡＭのマッピングのいずれかを使用する。キャリア変調部３６は、変調マッピングの結果として、複数ビットのＩ軸データおよびＱ軸データ（以下、これらを「データ」という）を時間インタリーブ部３８に出力する。
【００２９】
時間インタリーブ部３８は、キャリア変調部３６からのデータを入力し、変調シンボル単位、つまりＩ、Ｑ軸単位で時間インタリーブを実行する。時間インタリーブは、変調後のデータを時間的に分散させ、耐フェージング性能を改善するために施される。例えば、時間インタリーブの構成として畳込みインタリーブが採用される。時間インタリーブ部３８は、時間インタリーブがなされたデータ（以下、これも「データ」という）を周波数インタリーブ部４０に出力する。
【００３０】
周波数インタリーブ部４０は、時間インタリーブ部３８からのデータを入力し、周波数インタリーブを実行する。なお、周波数インタリーブはなされなくてもよく、その際、周波数インタリーブ部４０は、省略されてもよい。このように生成部１０は、周波数領域において連続して配置された複数のセグメントのうち、一部のセグメントを使用したデータを生成する。生成部１０は、データをＯＦＤＭフレーム構成部２２に出力する。
【００３１】
ＴＭＣＣ信号生成部１８は、ＴＭＣＣ信号を生成する。ＴＭＣＣ信号は、複数のサブキャリアで構成されたセグメントのうち、特定のサブキャリアにて伝送される。ＴＭＣＣ信号の伝送に使用されるサブキャリアは、ＴＭＣＣキャリアと呼ばれる。ＴＭＣＣ信号は、階層構成や各セグメントの伝送パラメータ等、図示しない受信装置の復調動作に関わる情報を含む。このようなＴＭＣＣ信号は、伝送パラメータの指定や受信装置の制御を行うため、データ信号より高い伝送信頼性が必要であるので、ＴＭＣＣ信号の誤り訂正符号には差集合巡回符号（２７３，１９１）の短縮符号（１８４，１０２）が使用される。また、変調マッピングとして、ＤＢＰＳＫが使用される。
【００３２】
図３は、ＴＭＣＣ信号生成部１８において生成されるＴＭＣＣキャリアのビット割当てを示す。図示のごとく、ビット割当て欄２１０、内容欄２１２が含まれる。ビット割当て欄２１０に示されたビットに、内容欄２１２に示された内容を示した情報が割り当てられる。Ｂ１〜Ｂ１６には、１６ビットのワードで構成された同期信号が含まれる。同期信号として、ｗ０＝００１１０１０１１１１０１１１０とそれをビット反転したｗ１＝１１００１０１００００１０００１の２種類が規定されており、フレーム毎にｗ０とｗ１が交互に使用される。同期信号は、ＴＭＣＣ信号の同期およびＯＦＤＭのフレーム同期を確立するために使用される。セグメント形式識別は、セグメント形式を識別するために使用される３ビットのワードであるが、ここでは説明を省略する。ＴＭＣＣ情報は、システム識別、伝送パラメータ切り替え指標、緊急警報放送用起動フラグ、カレント情報、ネクスト情報などを含み、受信装置の復調と復号動作を補助するための情報である。カレント情報は現在の階層構成および伝送パラメータを示し、ネクスト情報には切り替え後の伝送パラメータを示す。
【００３３】
図４は、ＴＭＣＣ情報の詳細を示す。図示のごとく、ビット割当て欄２２０、内容欄２２２が含まれる。システム識別は、使用されているシステムを示す。システム識別は、２ビットで構成される。地上デジタルテレビジョン放送システムに対応したシステムである場合に「００」が設定され、伝送方式が共通な地上デジタル音声放送である場合に「０１」が設定される。残りの値はリザーブとされる。一般的に、地上デジタルテレビジョン放送システムは、１３セグメントの使用を前提とし、地上デジタル音声放送は、１３セグメントよりも少ないセグメント、例えば、１セグメントの使用を前提とする。ここでは、システム識別として「００」が設定される。そのため、システム識別は、実際にデータの伝送に使用されるセグメント数「１」よりも大きなセグメント数「１３」が示された情報といえる。
【００３４】
伝送パラメータ切り替え指標は、伝送パラメータを切り替える場合の切り替えタイミングを受信装置に通知するために使用される。具体的に説明すると、伝送パラメータ切り替え指標は、通常、「１１１１」の値に設定され、伝送パラメータを切り替える場合に、切り替える１５フレーム前からフレーム毎に１ずつ減算される。緊急警報放送用起動フラグは、緊急警報放送において受信装置への起動制御がなされているか否かを示す。受信装置への起動制御が行われている場合には起動フラグが「１」に設定され、起動制御が行われていない場合には起動フラグが「０」に設定される。
【００３５】
部分受信フラグは、伝送帯域中央のセグメントが部分受信用に設定されているか否かを示す。設定される場合には、部分受信フラグが「１」に設定されるが、これは、図１（ｂ）から（ｅ）のようにセグメント０が使用される場合に相当する。設定されない場合には、部分受信フラグが「０」に設定される。部分受信用にセグメント０が設定される場合、その階層はＡ階層として規定される。
【００３６】
前述のごとく、携帯電話端末でもＴＭＣＣ情報を認識可能にするために、有意なデータの伝送に使用されているセグメントに関係なく、すべてのセグメントに関する情報が含まれるように、伝送パラメータ情報が取得される。つまり、セグメント０に関する情報が取得されているとともに、他のセグメントに関する情報も取得されている。これは、システム識別「００」に対応する。そのため、伝送パラメータ情報も、実際にデータの伝送に使用されるセグメント数よりも大きなセグメント数が示された情報といえる。
【００３７】
Ｂ１１０からＢ１２１のビットは、リザーブとして確保される。ここでは、Ｂ１１０が「中央セグメントのみ使用情報」が配置される。中央セグメントのみ使用情報は、前述のワンセグメント使用情報に相当し、ワンセグメント放送のみ（すなわちＡ階層での放送のみ）でセグメントが使用されることを通知するために使用される。つまり、図１（ｂ）と（ｃ）との場合と、図１（ｄ）と（ｅ）との場合とを識別するために使用される。ワンセグメント放送のみでセグメントが使用されている場合、つまり図１（ｄ）と（ｅ）との場合、「中央セグメントのみ使用情報」は「０」に設定される。一方、ワンセグメント放送以外でもセグメントが使用されている場合、つまり図１（ｂ）と（ｃ）との場合、「中央セグメントのみ使用情報」は「１」に設定される。なお、他のリザーブビットには、「１」が設定される。図２に戻る。
【００３８】
第１取得部１４は、ＴＭＣＣ情報のうち、システム識別、伝送パラメータ切り替え指標、緊急警報放送用起動フラグ、カレント情報、ネクスト情報、連結送信位相補正量を取得する。ここで、カレント情報やネクスト情報には、伝送パラメータ情報が含まれる。そのため、第１取得部１４は、生成部１０が生成したデータによって使用されたセグメント数、例えば、「１」よりも大きなセグメント数、例えば「１３」が示されたシステム識別と伝送パラメータ情報とを取得する。第１取得部１４は、取得した情報をＴＭＣＣ信号生成部１８に出力する。
【００３９】
第２取得部１６は、中央セグメントのみ使用情報を取得し、これをＴＭＣＣ信号生成部１８に出力する。前述のごとく、中央セグメントの使用情報とは、第１取得部１４が取得したシステム識別と伝送パラメータ情報によって示されたセグメント数のセグメントのうち、生成部１０が生成したデータによって使用されたセグメントだけが有効であることが示された情報である。
【００４０】
パイロット信号生成部１２は、コンティニュアルパイロットやスキャッタードパイロットを生成し、これらをＯＦＤＭフレーム構成部２２に出力する。コンティニュアルパイロットやスキャッタードパイロットの値や挿入されるサブキャリア位置は予め規定されている。以下では、コンティニュアルパイロットとスキャッタードパイロットとを「パイロット信号」と総称する。ＡＣ信号生成部２０は、放送に関する付加情報としてのＡＣ（Ａｕｘｉｌｉａｒｙ  Ｃｈａｎｎｅｌ）を生成する。放送に関する付加情報とは、変調波の伝送制御に関する付加情報、または地震動警報情報である。ＡＣの変調信号は、差動符号化後の情報「０、１」に対して（＋４/３,０）と（−４/３,０）の信号点に配置され、放送に関する付加情報がない場合に、スタッフィングビットとして情報「１」が挿入される。ＡＣ信号生成部２０は、ＡＣ信号をＯＦＤＭフレーム構成部２２に出力する。
【００４１】
ＯＦＤＭフレーム構成部２２は、生成部１０が生成したデータ、パイロット信号生成部１２が生成したパイロット信号、ＴＭＣＣ信号生成部１８が生成したＴＭＣＣ信号、ＡＣ信号生成部２が生成したＡＣ信号を入力する。ＯＦＤＭフレーム構成部２２は、データ、パイロット信号、ＴＭＣＣ信号、ＡＣ信号を多重化することによって、ＯＦＤＭフレームとして、周波数領域のＯＦＤＭ信号を生成する。ここで、ＴＭＣＣ信号、ＡＣ信号は、マルチパスによる伝送路特性の周期的なディップの影響を軽減するために、周波数方向にランダムに配置されている。なお、これらが配置されるサブキャリアは予め定められている。ＯＦＤＭフレーム構成部２２は、周波数領域のＯＦＤＭをＩＦＦＴ部２４に出力する。
【００４２】
ＩＦＦＴ部２４は、ＯＦＤＭフレーム構成部２２から周波数領域のＯＦＤＭ信号を入力し、周波数領域のＯＦＤＭ信号にＩＦＦＴを実行することによって、時間領域のＯＦＤＭ信号を生成する。ＩＦＦＴ部２４は、時間領域のＯＦＤＭ信号をガードインターバル付加部２６に出力する。ガードインターバル付加部２６は、ＩＦＦＴ部２４から時間領域のＯＦＤＭ信号を入力する。ガードインターバル付加部２６は、時間領域のＯＦＤＭ信号のうち、時間的に後側から、指定された時間長のデータを有効シンボルの前にそのまま付加することによって、ガードインターバルを生成する。ガードインターバル付加部２６は、ガードインターバルが付加された時間領域のＯＦＤＭ信号（以下、これも「時間領域のＯＦＤＭ信号」という）をＲＦ部２８に出力する。ＲＦ部２８は、ガードインターバル付加部２６から時間領域のＯＦＤＭ信号を受けつける。ＲＦ部２８は、周波数変換、増幅を実行した後、その結果の信号をアンテナ３０から送信する。制御部３２は、送信装置１００の動作タイミングを制御する。
【００４３】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００４４】
図５は、エリアワンセグメント放送システムにおける受信装置２００の構成を示す。受信装置２００は、アンテナ５０、ＲＦ部５２、ガードインターバル除去部５４、ＦＦＴ部５６、ＯＦＤＭフレーム分解部５８、データ処理部６０、ＴＭＣＣ信号処理部６２、抽出部６４、制御部６６を含む。データ処理部６０は、周波数デインタリーブ部６８、時間デインタリーブ部７０、キャリア復調部７２、復号部７４を含む。これは、前述のマルチセグメント受信装置に相当する。
【００４５】
ＲＦ部５２は、アンテナ５０を介して、図示しない送信装置からの信号を受信する。受信した信号のチャンネル構成は、図１（ｂ）−（ｅ）のいずれかである。図１（ｂ）−（ｅ）では、いずれもセグメント０がワンセグメント放送に使用されているので、ＲＦ部５２は、初期の状態において、セグメント０に配置された信号だけを受信する。そのため、受信した信号は、周波数領域において連続して配置された複数のセグメントのうち、一部のセグメントを使用した信号であるといえる。ＲＦ部５２は、受信した信号に対して、増幅、周波数変換を実行した後、その結果（以下、「時間領域のＯＦＤＭ信号」という）をガードインターバル除去部５４に出力する。
【００４６】
ガードインターバル除去部５４は、ＲＦ部５２から時間領域のＯＦＤＭ信号を入力し、時間領域のＯＦＤＭ信号からガードインターバルを除去する。これは、図２のガードインターバル付加部２６と逆の処理に相当する。ガードインターバル除去部５４は、ガードインターバルを除去した時間領域のＯＦＤＭ信号（以下、これも「時間領域のＯＦＤＭ信号」という）をＦＦＴ部５６に出力する。ＦＦＴ部５６は、ガードインターバル除去部５４から時間領域のＯＦＤＭ信号を入力し、時間領域のＯＦＤＭ信号にＦＦＴを実行することによって、周波数領域のＯＦＤＭ信号を生成する。ＦＦＴ部５６は、周波数領域のＯＦＤＭ信号をＯＦＤＭフレーム分解部５８に出力する。
【００４７】
ＯＦＤＭフレーム分解部５８は、ＦＦＴ部５６から周波数領域のＯＦＤＭ信号を入力する。ＯＦＤＭフレーム分解部５８は、図２のＯＦＤＭフレーム構成部２２と逆の処理を実行することによって、周波数領域のＯＦＤＭ信号から、データ、パイロット信号、ＴＭＣＣ信号、ＡＣ信号を取得する。ＯＦＤＭフレーム分解部５８は、特に、データをデータ処理部６０に出力し、ＴＭＣＣ信号をＴＭＣＣ信号処理部６２に出力する。それ以外の信号については、説明を省略する。
【００４８】
ＴＭＣＣ信号処理部６２は、ＯＦＤＭフレーム分解部５８からＴＭＣＣ信号を入力する。ＴＭＣＣ信号処理部６２の処理の説明は省略するが、図４に示したシステム識別、伝送パラメータは、抽出部６４によって抽出される。抽出部６４は、ＴＭＣＣ情報の中からシステム識別、伝送パラメータを抽出する。ここでは、システム識別として「００」が設定されており、これは、前述のごとく、地上デジタルテレビジョン放送システムに対応したシステムであることを示す。
【００４９】
地上デジタルテレビジョン放送システムは、１３セグメントの使用を前提としているので、「００」のシステム識別を抽出することは、周波数領域において連続して配置されたセグメント数「１３」が示された情報を抽出することに相当する。また、抽出部６４は、伝送パラメータ情報の内容を確認することによって、すべてのセグメントに対する情報が含まれていることを確認する。これも、周波数領域において連続して配置されたセグメント数「１３」が示された情報を抽出することに相当する。ＴＭＣＣ信号処理部６２は、これらの内容を確認した場合、制御部６６に対して受信処理が可能であることを通知する。一方、ＴＭＣＣ信号処理部６２は、「００」のシステム識別を抽出したものの、すべてのセグメントに対する伝送パラメータ情報を確認できない場合、制御部６６に対して受信処理が不可能であることを通知する。
【００５０】
制御部６６は、受信処理が可能であることを抽出部６４から通知された場合、ＴＭＣＣ信号処理部６２において処理されたＴＭＣＣ情報をもとに、データ処理部６０の動作を制御する。具体的に説明すると、制御部６６は、ＴＭＣＣ信号処理部６２において処理されたＴＭＣＣ情報をもとに、データを処理することをデータ処理部６０に指示する。また、制御部６６は、ＴＭＣＣ情報の中に、中央セグメントのみ使用情報が含まれている場合、受信した信号が図１（ｄ）あるいは（ｅ）のごとく、ワンセグメント放送の信号のみが含まれたチャンネルであることを特定する。前述のごとく、中央セグメントのみ使用情報が含まれていることは、システム識別あるいは伝送パラメータ情報によって示されたセグメント数「１３」よりも小さなセグメント数のセグメントだけが有効であることが示されていることに相当する。
【００５１】
この場合、チャンネル構成が図１（ｅ）である可能性も残っているので、制御部６６は、ＲＦ部５２に対して、受信すべきセグメントを変更させる。その結果、制御部６６は、ガードインターバル除去部５４、ＦＦＴ部５６、ＯＦＤＭフレーム分解部５８、ＴＭＣＣ信号処理部６２、抽出部６４に対して、これまでと同一の処理を実行させる。これは、セグメント０とは別のセグメントを調査することに相当し、特に受信した信号によって使用されたセグメント数「１」を単位として調査することに相当する。
【００５２】
ここでは、例えば、図１（ｅ）のセグメント５や６に配置されたＴＭＣＣ情報を説明する。図６は、図１（ｅ）のセグメント５およびセグメント６において送信されるＴＭＣＣ情報のビット割当てを示す。図示のごとく、ビット割当て欄２２０、内容欄２２２が含まれる。システム識別は、図４と同様であるが、伝送方式が共通な地上デジタル音声放送である場合の「０１」が設定される。そのため、１セグメントの使用が前提とされる。そのため、図４とは異なり、中央セグメントのみ使用情報がリザーブ中に含まれない。他の内容についての説明は省略する。図５に戻る。
【００５３】
制御部６６は、中央セグメントのみ使用情報が含まれている場合、受信した信号が図１（ｂ）あるいは（ｃ）のごとく、セグメント０以外のセグメントに、ワンセグメント放送以外の信号が含まれていることを特定する。この場合、制御部６６は、セグメント０とは別のセグメントに対する調査をスキップする。また、制御部６６は、受信処理が不可能であることを抽出部６４から通知された場合、処理を中止する。
【００５４】
周波数デインタリーブ部６８は、ＯＦＤＭフレーム分解部５８からデータを入力する。周波数デインタリーブ部６８は、データに対して周波数デインタリーブを実行する。これは、図２の周波数インタリーブ部４０における処理の逆の処理に対応する。なお、周波数インタリーブがなされない場合、周波数デインタリーブ部６８は、処理をスキップする。時間デインタリーブ部７０は、周波数デインタリーブ部６８からデータを入力する。時間デインタリーブ部７０は、データに対して時間デインタリーブを実行する。これは、図２の時間インタリーブ部３８における処理の逆の処理に対応する。
【００５５】
キャリア復調部７２は、時間デインタリーブ部７０からデータを入力する。キャリア復調部７２は、データを復調する。なお、変調マッピングは、π／４シフトＤＱＰＳＫのマッピング、ＱＰＳＫのマッピング、１６ＱＡＭのマッピング、６４ＱＡＭのマッピングのいずれかであるので、キャリア復調部７２は、それに対応した復調を実行する。なお、キャリア復調部７２は、復調の際にパイロット信号を使用してもよい。復号部７４は、復号部７４において復調したデータを復号する。データに対してパンクチャードがなされている場合、復号部７４は、デパンクチャードも実行する。復号部７４は、復号として、例えばビタビアルゴリズムを実行する。
【００５６】
以上の構成による受信装置２００の動作を説明する。図７は、受信装置２００による受信処理の手順を示すフローチャートである。ＲＦ部５２が、中央セグメントでの信号を受信しており（Ｓ１０のＹ）、抽出部６４が、１３セグメント分の情報を取得した場合（Ｓ１２のＹ）、中央セグメントのみ使用でなければ（Ｓ１４のＮ）、制御部６６は、データ処理部６０にデータの受信処理を実行させる（Ｓ１６）。中央セグメントのみ使用であれば（Ｓ１４のＹ）、制御部６６は、他のセグメントを調査させる（Ｓ１８）。中央セグメントでの信号を受信されていない場合（Ｓ１０のＮ）、あるいは１３セグメント分の情報を取得しない場合（Ｓ１２のＮ）、処理は終了される。
【００５７】
本発明の実施例によれば、１３セグメントのうち、ひとつのセグメントを使用したデータを送信する場合であっても、システム識別や伝送パラメータ情報にて１３セグメントの使用を通知するので、携帯電話端末においても受信を可能にできる。また、システム識別や伝送パラメータ情報にて１３セグメントの使用したときに、中央セグメントのみ使用情報を通知するので、中央セグメント以外にデータがないことを通知できる。また、中央セグメント以外にデータがないことが通知されるので、フルセグメント受信装置やマルチセグメント受信装置においても受信を可能にできる。
【００５８】
また、携帯電話端末、フルセグメント受信装置、マルチセグメント受信装置での受信を可能にするので、さまざまなタイプの受信装置に受信させることができる。また、中央のワンセグメントのみを送信に使用するので、周波数利用効率の悪化を抑制できる。また、中央セグメントのみ使用情報が有効である場合に、別のセグメントに対する調査を決定し、無効である場合に、別のセグメントに対する調査をスキップするので、処理を効率的に実行できる。また、ひとつのセグメント数を調査の単位とするので、受信すべき信号を調査できる。
【００５９】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００６０】
本発明の実施例において、エリアワンセグメント放送等して、ひとつのセグメントが使用される場合を想定している。しかしながらこれに限らず例えば、３セグメントのような複数のセグメントが使用されてもよい。つまり、すべてのセグメント数「１３」よりも小さい数のセグメントが使用されればよい。本変形例によれば、エリアワンセグメント放送の設計の自由度を向上できる。
【符号の説明】
【００６１】
１０  生成部、  １２  パイロット信号生成部、  １４  第１取得部、  １６  第２取得部、  １８  ＴＭＣＣ信号生成部、  ２０  ＡＣ信号生成部、  ２２  ＯＦＤＭフレーム構成部、  ２４  ＩＦＦＴ部、  ２６  ガードインターバル付加部、  ２８  ＲＦ部、  ３０  アンテナ、  ３２  制御部、  ３４  符号化部、  ３６  キャリア変調部、  ３８  時間インタリーブ部、  ４０  周波数インタリーブ部、  ５０  アンテナ、  ５２  ＲＦ部、  ５４  ガードインターバル除去部、  ５６  ＦＦＴ部、  ５８  ＯＦＤＭフレーム分解部、  ６０  データ処理部、  ６２  ＴＭＣＣ信号処理部、  ６４  抽出部、  ６６  制御部、  ６８  周波数デインタリーブ部、  ７０  時間デインタリーブ部、  ７２  キャリア復調部、  ７４  復号部、  １００  送信装置、  ２００  受信装置。
【図１】
0005673415.tif 000002
【図２】
0005673415.tif 000003
【図３】
0005673415.tif 000004
【図４】
0005673415.tif 000005
【図５】
0005673415.tif 000006
【図６】
0005673415.tif 000007
【図７】
0005673415.tif 000008